(57)【要約】【課題】配線を引っ張っても高電圧の配線等が露出しないようにする端子ユニットおよび電気部品を提供する。【解決手段】端子ユニットは、ケースと、固定部材と、端子と、カバーと、を備えている。ケースは、配線が挿入される挿入口を有する。固定部材は、前記ケースに収納され、前記配線を固定する。端子は、前記ケースに収納され、前記配線に電気的に接続される。カバーは、前記ケースの前記挿入口側に配置される。そして、端子ユニットは、前記固定部材のうち前記挿入口側に配置される一部が前記ケースの内壁に対向する。【選択図】図４
2020177800.tif 000002
【特許請求の範囲】
【請求項１】
配線が挿入される挿入口を有するケースと、
前記ケースに収納され、前記配線を固定する固定部材と、
前記ケースに収納され、前記配線に電気的に接続される端子と、
前記ケースの前記挿入口側に配置されるカバーと、
を備えた端子ユニットであって、
前記固定部材のうち前記挿入口側に配置される一部が前記ケースの内壁に対向する、
端子ユニット。
【請求項２】
前記固定部材は、板バネであり、
前記配線は、前記板バネにより前記端子に押し当てられる、
請求項１に記載の端子ユニット。
【請求項３】
前記端子のうち前記挿入口側に配置される一部が前記ケースの内壁に対向する、
請求項１または請求項２に記載の端子ユニット。
【請求項４】
請求項１乃至請求項３のいずれか１項に記載の端子ユニットと、
前記端子に電気的に接続され、前記配線に印加される電圧よりも低い電圧で駆動する負荷と、
前記負荷を収納し、前記ケースに接続されるヘッド部と、
を備えた電気部品であって、
前記挿入口側の方向に沿って所定の引張力が生じた場合に、前記ケースが前記ヘッド部から外れる、
電気部品。
【発明の詳細な説明】
【技術分野】
【０００１】
本発明は、配線が接続される端子ユニットおよび該端子ユニットを備えた電気部品に関する。
【背景技術】
【０００２】
従来から、表示灯等の各種の電気部品に電線（配線）を接続するために、端子台（端子ユニット）が知られている。端子ユニットは、高電圧の電源から電力の供給を受ける配線を接続し、低電圧で駆動する表示灯等の負荷に電力を供給する。
【０００３】
端子ユニットの構造の一例として、例えば、特許文献１には、バネの復元力による押圧によって電線と端子とを接続状態に維持する端子台が開示されている。
【先行技術文献】
【特許文献】
【０００４】
【特許文献１】特開２０１８−１０７０７９号公報
【発明の概要】
【発明が解決しようとする課題】
【０００５】
特許文献１に開示されたバネのような部材で配線を固定する場合、配線を引っ張った場合に、該部材も配線とともに引っ張られる可能性がある。この際、当該部材がケースのカバーに当たり、カバーが外れて高電圧の配線等の部品が露出する可能性がある。
【０００６】
そこで本発明の目的は、配線を引っ張っても高電圧の配線等の部品が露出しないようにする端子ユニットおよび電気部品を提供することである。
【課題を解決するための手段】
【０００７】
本発明に係る端子ユニットは、ケースと、固定部材と、端子と、カバーと、を備えている。ケースは、配線が挿入される挿入口を有する。固定部材は、前記ケースに収納され、前記配線を固定する。端子は、前記ケースに収納され、前記配線に電気的に接続される。カバーは、前記ケースの前記挿入口側に配置される。そして、端子ユニットは、前記固定部材のうち前記挿入口側に配置される一部が前記ケースの内壁に対向する。
【０００８】
本発明は、固定部材のうち一部が挿入口側に配置される一部がケースの内壁に当接しているため、配線を引っ張った場合に、固定部材が配線とともに引っ張られても、固定部材の一部がケースの内壁に当接する。したがって、配線を引っ張った場合に生じる力は、カバーには伝わらない。よって、カバーが外れて高電圧の配線等が露出するおそれはない。
【０００９】
なお、固定部材は、座金でネジ止めする構成であってもよいし、板バネで端子を押し当てる構成であってもよい。
【００１０】
また、固定部材に加えて、端子のうち挿入口側に配置される一部がケースの内壁に対向していてもよい。この場合、仮に配線を引っ張った場合に、端子が配線とともに引っ張られても、端子の一部がケースの内壁に当接する。よって、端子が引っ張られても、カバーが外れて高電圧の配線等が露出するおそれはない。
【００１１】
また、本発明の電気部品は、上記端子ユニットと、前記端子に電気的に接続され、前記配線に印加される電圧よりも低い電圧で駆動する負荷と、前記負荷を収納し、前記ケースに接続されるヘッド部と、を備える。そして、電気部品は、挿入口側の方向に沿って所定の引張力が生じた場合に、ケースがヘッド部から外れる。
【００１２】
これにより、配線に過度な力がかかっても、ケースごとヘッド部から外れるため、高電圧の配線等が露出するおそれはない。
【発明の効果】
【００１３】
本発明によれば、配線を引っ張っても高電圧の配線等が露出しない。
【図面の簡単な説明】
【００１４】
【図１】図１（Ａ）は、電気部品１をパネル５に取り付けた場合の正面斜視図であり、図１（Ｂ）は、電気部品１をパネル５に取り付けた場合の背面斜視図である。
【図２】図２（Ａ）は、電気部品１の正面斜視図であり、図２（Ｂ）は、端子ユニット１０の正面斜視図であり、図２（Ｃ）は、カバー１０２を外した場合の端子ユニット１０正面斜視図である。
【図３】図３（Ａ）は、端子ユニット１０の背面斜視図であり、図３（Ｂ）は、カバー１０２を外した場合の端子ユニット１０背面斜視図である。
【図４】図４（Ａ）および図４（Ｂ）は、端子ユニット１０の断面図である。
【図５】座金をネジ止めする構成である場合の端子ユニット１０の一部断面図である。
【発明を実施するための形態】
【００１５】
図１（Ａ）は、電気部品１をパネル５に取り付けた場合の正面斜視図であり、図１（Ｂ）は、電気部品１をパネル５に取り付けた場合の背面斜視図である。
【００１６】
電気部品１は、端子ユニット１０およびヘッド部１１からなる。ヘッド部１１は、パネル５を挟み込むようにして、パネル５に取り付けられる。パネル５には、円形状の孔が開いている。ヘッド部１１は、当該孔の径よりも大きい径を有する部分で、孔を挟み込む。これにより、ヘッド部１１の一部は、パネル５の前面に露出する。ヘッド部１１は、例えば表示灯を備える。ヘッド部１１のうち表示灯を収納するための透光性カバーが、パネル５の前面に配置される。
【００１７】
端子ユニット１０は、表示灯用の給電ユニットである。端子ユニット１０は、ヘッド部１１の背面側に接続され、パネル５の背面に配置される。端子ユニット１０は、背面側の下部に、配線７０（図４（Ｂ）を参照）を挿入するための挿入口１５１を有する。この実施形態では、端子ユニット１０は、４つの挿入口１５１を備えているが、挿入口の数は、この例に限らない。端子ユニット１０は、挿入口１５１に挿入された配線７０に印加される電圧（例えば１００Ｖまたは２００Ｖ）を降圧して、ヘッド部１１における表示灯等の負荷に対して、低電圧（例えば５Ｖ）の電力を供給する。
【００１８】
図２（Ａ）および図２（Ｂ）に示す様に、端子ユニット１０は、ヘッド部１１から取り外すことができる。図２（Ｂ）、図２（Ｃ）、図３（Ａ）および図３（Ｂ）に示す様に、端子ユニット１０は、ケース１０１と、カバー１０２と、を有する。
【００１９】
ケース１０１は、直方体形状の筐体である。カバー１０２は、ケース１０１の背面側に配置される。カバー１０２は、ケース１０１の側面の下部、底面、および背面を覆う形状である。カバー１０２は、背面に挿入口１５１を有する。ケース１０１は、板バネ１７２と、板バネ１７２を保持するためのホルダー１７１と、を収納する。また、ケース１０１は、挿入口１５１に挿入された配線７０に電気的に接続される端子１７３を収納する。端子１７３も、ホルダー１７１により保持される。さらに、ケース１０１は、端子１７３に電気的に接続され、高電圧の電力を降圧する電圧変換回路（不図示）を備える。ただし、当該電圧変換回路はケース１０１に収納することは必須ではない。例えば、電圧変換回路は、ヘッド部１１側に収納されていてもよい。
【００２０】
図４（Ａ）および図４（Ｂ）は、端子ユニット１０の横断面図である。本実施形態では、端子ユニット１０は、４つの挿入口１５１を備える。板バネ１７２は、４つの挿入口１５１のそれぞれに配置されている。板バネ１７２は、本発明の固定部材の一例である。板バネ１７２は、一部がＵ字型に湾曲した形状である。板バネ１７２は、湾曲した頂点の部分（頂点部１７２Ａ）が背面側に向いている。板バネ１７２は、ホルダー１７１を２つの平板部分で挟み込むように配置されている。ホルダー１７１は、板バネ１７２が配置される箇所に沿って側方に張り出した部分を有する。板バネ１７２の２つの平板部分は、ホルダー１７１の側方に張り出した部分を挟み込むように配置されている。
【００２１】
また、板バネ１７２の２つの平板部分は、ケース１０１の正面方向に向かって、かつ斜め下方に向かって延びている。板バネ１７２の２つの平板部分のうち下方に配置される平板部分の先端は、端子１７３に対向する。端子１７３は、薄い板状の金属部材であり、ケース１０１の内壁のうち、上方および下方の内壁に沿って配置されている。また、端子１７３は、図３（Ｂ）に示す様にケース１０１の内壁のうち側面側の内壁にも沿って配置されている。
【００２２】
挿入口１５１のうち２つの隣接している挿入口には、それぞれ１つずつのホルダー１７１が配置されている。つまり、１つのホルダー１７１には、２つの板バネ１７２が配置されている。端子１７３は、それぞれのホルダー１７１を覆う様に、１つずつ配置されている。
【００２３】
板バネ１７２の２つの平板部分のうち下方に配置される平板部分の背面側は、挿入口１５１に対向する。図４（Ｂ）に示す様に、挿入口１５１に配線７０を挿入すると、配線７０の先端は、板バネ１７２を上方に押し上げる。板バネ１７２の先端は、弾性力により配線７０の側面を下方に押しつける。これにより、配線７０は、ケース１０１の下方に向かって押しつけられる。よって、配線７０は、端子１７３に電気的に接続され、ケース１０１に固定される。配線７０に対し、挿入口１５１側に沿って引張力を加えた場合、板バネ１７２の先端にも、挿入口１５１側に向かう引張力が働く。すると、板バネ１７２の先端は、ケース１０１の下方に向かう力が働き、配線７０をより強く押し当てる。したがって、配線７０は、引張力が働いたとしても、抜けにくくなり、ケース１０１に対して強固に固定されることになる。
【００２４】
挿入口１５１の上方には、挿入口１５１に沿った孔が開いている。当該孔には、棒状の固定解除部材１５２が配置されている。固定解除部材１５２は、配線７０の挿入方向に沿って配置されている。固定解除部材１５２の背面をドライバー等の工具で押し込むと、固定解除部材１５２が前方に移動する。すると、固定解除部材１５２の前方の先端が板バネ１７２に接触する。板バネ１７２の直線部分は、前方および下方に向かって斜めに配置されているため、固定解除部材１５２を押し込むと、板バネ１７２の下方の直線部分は上方に向かって移動する。これにより、配線７０の押し込みが解除され、配線７０を引き抜くことができる。なお、固定解除部材１５２は必須ではない。固定解除部材１５２がなくても、孔にドライバー等の工具を挿入し、工具の先端で板バネ１７２を押し込むこともできる。ただし、固定解除部材１５２を備えることで、ドライバー等の工具の先端で押し込むよりも板バネ１７２を傷つけるおそれはない。
【００２５】
ケース１０１の内壁の一部は、上下方向に沿って延在した延在部を有する。具体的には、ホルダー１７１の上下を挟む内壁のうち上方の内壁は、挿入口１５１側において、下方に向かう延在部１１１を有する。また、ホルダー１７１の上下を挟む内壁のうち下方の内壁は、挿入口１５１側において、上方に向かう延在部１１２を有する。
【００２６】
板バネ１７２の湾曲している頂点の頂点部１７２Ａは、ケース１０１の内壁のうち延在部１１１に対向する。配線７０に対し、挿入口１５１側に沿って引張力を加えた場合、板バネ１７２が挿入口１５１側に引っ張られて移動するため、板バネ１７２の頂点部１７２Ａは、延在部１１１に当接する。したがって、カバー１０２には、引張力が伝わることがなく、配線７０を引っ張ったとしても、カバー１０２が外れない。よって、カバー１０２が外れて高電圧の部品が露出するおそれはない。なお、板バネ１７２のうち、ケースの内壁に当接する部分は、頂点部１７２Ａに限らない。配線７０に引張力が働いた場合に板バネ１７２をケースの内壁に当接させることができれば、どの部分がケースの内壁に対向していてもよい。
【００２７】
また、この例では、端子１７３のうち、挿入口１５１側の頂点部１７３Ａも、ケース１０１の内壁のうち延在部１１２に対向する。配線７０に対し、挿入口１５１側に沿って引張力を加えた場合、配線７０とともに端子１７３も挿入口１５１側に移動する可能性がある。この場合、端子１７３の頂点部１７３Ａは、延在部１１２に当接する。したがって、この場合も、カバー１０２には、引張力が伝わることがなく、配線７０を引っ張ったとしても、カバー１０２が外れることがない。よって、カバー１０２が外れて高電圧の部品が露出するおそれはない。ただし、端子１７３側の延在部１１２は、本発明に必須の構成ではない。
【００２８】
また、上述した様に、端子ユニット１０は、ヘッド部１１から取り外すことができる。配線７０に過度な引張力が生じたと場合、端子ユニット１０自体がケース１０１ごとヘッド部１１から外れる。したがって、過度な引張力が生じたとしても、ケース１０１が破壊するおそれもなく、高電圧の部品が露出するおそれはない。
【００２９】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【００３０】
例えば、上記実施形態では、配線７０を板バネ１７２で固定する例を示した。しかし、端子ユニットは、例えば、図５の断面図に示す様に、ネジ１９０を閉めて座金１９２で配線７０を固定しても良い。この場合、座金１９２が本発明の固定部材の一例である。この場合も、座金１９２のうち一部は、ケース１０１の挿入口１５１の内壁（延在部１１２）に対向する。配線７０に対し、挿入口１５１側に沿って引張力を加えた場合、座金１９２は挿入口１５１側に引っ張られて移動するが、ケース１０１の延在部１１５に当接する。したがって、配線７０を引っ張ったとしても、カバーが外れることがない。よって、カバーが外れて高電圧の部品が露出するおそれはない。また、端子１７３側もケース１０１の内壁に対向させることで、さらにカバーが外れるおそれがなくなる。
【符号の説明】
【００３１】
１…電気部品
５…パネル
１０…端子ユニット
１１…ヘッド部
７０…配線
１０１…ケース
１０２…カバー
１１１，１１２，１１５…延在部
１５１…挿入口
１５２…固定解除部材
１７１…ホルダー
１７２…板バネ
１７２Ａ，１７３Ａ…頂点部
１７３…端子
１９０…ネジ
１９２…座金
【図１】
2020177800.tif 000003
【図２】
2020177800.tif 000004
【図３】
2020177800.tif 000005
【図４】
2020177800.tif 000006
【図５】
2020177800.tif 000007